(57)【要約】【課題】光ファイバの接続部分を収納して保持させながら、余長の収納作業が容易にできた小型且つ構造が簡易な光ファイバ収納具を提供する。【解決手段】光ファイバどうしが接続された接続部分１５を含む光ファイバ９の余長部分１１を収納するための光ファイバ収納具１でる。巻き取り部３と、この巻き取り部３の両端側に、巻き取り部３よりも大径な位置規制手段５、７とにより画成された収納空間１３を備え、位置規制手段５、７の一方を略２分するスリット部１９、４１が、その両端で収納空間１３に連通すると共に、接続部分１５を受容するように構成した。【選択図】　図１
2004045535.tif 000002
【特許請求の範囲】
【請求項１】
光ファイバどうしが接続された接続部分を含む光ファイバの余長部分を収納するための光ファイバ収納具であって、
巻き取り部と、この巻き取り部の両端側に、前記巻き取り部よりも大径な位置規制手段とにより画成された収納空間を備え、前記位置規制手段の一方を略２分するスリット部が、その両端で前記収納空間に連通すると共に、前記接続部分を受容するように構成された光ファイバの接続余長収納具。
【請求項２】
請求項１に記載の光ファイバの接続余長収納具において、前記巻き取り部が前記スリットにより２つに分割されており、前記２つの巻き取り部の内接線に沿った方向で前記接続部分を受容するとともに、前記２つの巻き取り部に対し、前記余長部分が長円形状を形成するように巻き付ける構成としたことを特徴とする光ファイバの接続余長収納具。
【請求項３】
請求項１はたは２に記載の光ファイバの接続余長収納具において、前記位置規制手段は、略長方形と略半円との組み合わせた形状を有し、前記スリット部は、前記略長方形の略対角線方向に形成されていることを特徴とする光ファイバの接続余長収納具。
【請求項４】
請求項１〜３のいずれか１項に記載の光ファイバの接続余長収納具において、前記収納空間に収納された前記余長部分の飛び出しを規制する規制部を備えたことを特徴とする光ファイバの接続余長収納具。
【請求項５】
請求項４に記載の光ファイバの接続余長収納具において、前記規制部が弾性変形可能に構成されたことを特徴とする光ファイバの接続余長収納具。
【請求項６】
請求項４または５に記載の光ファイバの接続余長収納具において、前記規制部は、着脱自在に構成されたことを特徴とする光ファイバの接続余長収納具。
【請求項７】
請求項１〜３のいずれか１項に記載の光ファイバの接続余長収納具において、前記位置規制手段の外周に沿って移動可能な移動部を設けたことを特徴とする光ファイバの接続余長収納具。
【請求項８】
ベースプレート部と、このベースプレート部と固定した２つの巻き取り軸と、前記２つの巻き取り軸と固定し、かつ、スリットにより分割された押さえ板部とを備えた光ファイバの余長収納具と、前記請求項１〜７記載の光ファイバの接続余長収納具とからなる１組の光ファイバの接続余長収納具。
【請求項９】
請求項８に記載された１組の光ファイバの接続余長収納具の少なくとも１つ以上が、保持固定部により保持固定されたことを特徴とする１組の光ファイバの接続余長収納具。
【請求項１０】
請求項１〜９記載の光ファイバの接続余長収納具を用いて、光ファイバの接続部分を含む余長部分を収納した接続余長収納箱。
【発明の詳細な説明】
【０００１】
【発明の属する技術分野】
この発明は、光ファイバどうしを接続して使用するに際し、その接続部分を含む光ファイバの余長部分を巻き取って収容するための光ファイバの接続余長収納具および光ファイバの接続余長収納方法に関する。
【０００２】
【従来の技術】
光ファイバどうしを、例えば、融着して接続させ、この接続部分を含む光ファイバを一本或いは複数本用いて、光部品間あるいは光通信機器間を接続する場合に、光ファイバの長さに余裕を持たせて接続することがある。例えば、光ファイバどうしを融着して接続する場合、光ファイバの外表面の樹脂被覆を除去した後、加熱手段を用いて、ガラス部分を融着する。その後、融着したガラス部分を樹脂で覆わせて、ガラス部分を保護している。
【０００３】
この場合において、２つの光部品（光通信機器）の接続に必要な長さ以外の光ファイバ（光ファイバの余長部分ともいう）は、その状態で放置しておくと、接続部分で、他の部品に引っ掛かったり、光ファイバどうしが絡み合ってしまうことがある。そこで、接続部分を含む光ファイバの余長部分を上手にまとめておくことが必要となる。
【０００４】
日本特許登録第２８２１０２９号公報には、紐類の巻き込み器の技術が開示されている。この公報には、図１１、図１２に示すように、第１制限板１００と第２制限板１０１とから構成され、第１制限板１００には、回転用突起部１０２、連結部１０３、巻軸片１０４、結合軸片１０５、爪１０６を有している。第２制限板１０１には、円形突起部１０７、環状枠体１０８、吊下げ片１０９、誘導面１１０、１１１が備えられている。紐等は、挿入溝１１３に挿入されて、第１制限板１００を矢印１１２方向に回転させることにより、第１制限板１００と第２制限板１０１とにより形成された空間に巻き取られて収容される構成となっている。
【０００５】
【発明が解決しようとする課題】
近年の光ファイバにおいては、光ファイバの特性が飛躍的に向上しており、例えば、スクリーニング歪み（εＰ）と疲労係数（ｎ）の関係が１．２５×（６．３×１０８）１／ｎ≦εＰ≦４．０を満足する特性を有する光ファイバを光部品間に接続して使用することがある。また、例えば、曲げ直径１０ｍｍでの波長１．５５μｍにおける曲げ損失が１．０ｄＢ／ターン以下の特性を有する光ファイバを使用することもある。これらの特性を有する光ファイバ使用して、その余長部分を巻き取って収納する場合には、光ファイバ巻き径が直径１５ｍｍ程度のかなり小さい光ファイバ収納具を用いて収納しても、光ファイバの特性は殆ど劣化することがない。
【０００６】
上述した公報に開示された紐類の巻き込み器は、相対回転させてた構造となっており、例えば、光ファイバ巻き径を直径１５ｍｍ程度に小型化させて、光ファイバの余長部分を巻き込むには、構造が複雑であり、製造に際し困難が伴う。
また、光ファイバの接続部分は、通常、光ファイバの外径よりも大きく、剛性が高いため、光ファイバ収納部とは別に収納場所を設ける必要があり、収納作業及び収納スペースの効率化の妨げになっている。
【０００７】
本発明の目的は、光ファイバの接続部分を収納して保持させながら、余長の収納作業が容易にできる小型且つ構造が簡易な光ファイバ収納具を提供することである。
更に、本発明の目的は、光ファイバの接続部分を含む余長部分を余すことなく収容することができ、しかも、所定位置に固定することのできる光ファイバ収納具を提供することである。
【０００８】
【課題を解決するための手段】
本発明の目的を達成するために、本発明に係る光ファイバの接続余長収納具は、光ファイバどうしが接続された接続部分を含む光ファイバの余長部分を収納するための光ファイバ収納具であって、巻き取り部と、この巻き取り部の両端側に、巻き取り部よりも大径な位置規制手段とにより画成された収納空間を備え、位置規制手段の一方を略２分するスリット部が、その両端で収納空間に連通すると共に、接続部分を受容するように構成されたことである。
【０００９】
このような構成としたことで、接続部分を収納して受容することができるとともに、収納空間に光ファイバの余長部分を巻き取って収納することができる。
【００１０】
更に、本発明に係る光ファイバの接続余長収納具は、巻き取り部がスリットにより２つに分割されており、２つの巻き取り部の内接線に沿った方向で接続部分を受容するとともに、２つの巻き取り部に対し、余長部分が長円形状を形成するように巻き付けていく簡易な構成としてもよい。
【００１１】
更に、本発明に係る光ファイバの接続余長収納具は、位置規制手段は、略長方形と略半円との組み合わせた形状を有し、スリット部は、略長方形の略対角線方向に形成されていてもよい。
【００１２】
このような構成とすることで、接続部分の両端から延びる両余長部分をともに一方向に巻き取っていくことができ、また、接続部分と連続した余長部分が略半円形状の巻き取り部に大きな角度でもって曲げられて巻き取られていくことができる。
【００１３】
更に、本発明に係る光ファイバの接続余長収納具は、収納空間に収納した光ファイバの余長部分の飛び出しを規制できるように、収納空間に収納された余長部分の飛び出しを規制する規制部を備えていてもよい。
【００１４】
更に、本発明に係る光ファイバの接続余長収納具は、光ファイバの余長部分を、収納空間に収納可能に、また、収納した余長部分の飛び出しを規制できるように、前記規制部が弾性変形可能に構成されていてもよい。
【００１５】
更に、本発明に係る光ファイバの接続余長収納具は、余長部分を収納空間に収納した後に、規制部を取付けて余長部分の飛び出しを規制できるように、前記規制部は、着脱自在であってもよい。
【００１６】
更に、本発明に係る光ファイバの接続余長収納具は、位置規制部の外周に沿って移動可能な移動部を設け、前記移動部の移動により余長部分を収納空間に収納していく構成としてもよい。
【００１７】
更に、本発明に係る光ファイバ収納具は、ベースプレート部と、このベースプレート部と固定した２つの巻き取り軸と、２つの巻き取り軸と固定し、かつ、スリットにより分割された押さえ板部とを備えた光ファイバの余長収納具と、上記のいずれかに記載の光ファイバの接続余長収納具とを用いた１組の光ファイバの接続余長収納具であってもよい。
【００１８】
上記の構成とすることで、接続部分を含む余長部分を接続余長収納具に収納することができるとともに、接続部分を含まない余長部分のみを、余長収納具に収納することができる。更に、余長収納具と接続余長収納具を用いれば、これらを所定位置に配置することができる。
【００１９】
更に、本発明に係る光ファイバの接続余長収納具は、上記の１組の光ファイバの接続余長収納具の少なくとも１つ以上が、保持固定可能となるように保持固定部を備えていてもよい。
【００２０】
更に、上記のいずれかの光ファイバの接続余長収納具を、光ファイバの接続部分を含む余長部分を収納した接続余長収納箱に適用してもよい。
【００２１】
【発明の実施の形態】
本発明に係る光ファイバの接続余長収納具の実施形態の一例を、図面を参照しながら詳細に説明する。
【００２２】
図１（Ａ）は本発明に係る光ファイバの接続余長収納具の斜視図であり、（Ｂ）は接続部分を含む光ファイバの斜視図である。
光ファイバの接続余長収納具１は、巻き取り部３と、この巻き取り部３の両端（上下）の位置規制手段５、７により、主に構成されている。
２つの位置規制手段５、７の外周は、巻き取り部３の外周よりも大きくなっており、これらの位置規制手段５、７と巻き取り部３とにより、光ファイバ９の余長部分１１を巻き取って収納することのできる収納空間１３が形成されている。接続余長収納具１は、図１（Ｂ）に示すような、光ファイバ９の接続部分１５を受容できるように受容部１７が形成されており、この受容部１７は、スリット１９、４１を経由して、収納空間１３に連通している。この光ファイバの接続余長収納具１は、略長方形と略半円との組み合わせた形状となっており、全体でみて長円形状となっている。
【００２３】
図２は、本発明に係る光ファイバの接続余長収納具を、図１（Ａ）に示す矢印Ａ方向でカットしたときの、位置規制手段と巻き取り部の斜視図である。
巻き取り部３の上端部（上面側）の位置規制手段５は、スリット１９と拡大スリット２１により分割されており、この拡大スリット２１で光ファイバ９の接続部分１５を受容することができる。
位置規制手段５は、一対の直線部２３、２５と、一対の曲線部２７、２９が形成されており、全体でみて、長円形の形状をなしている。スリット１９および拡大スリット２１は、この一対の直線部２３、２５を斜めに横断するように形成されている。
【００２４】
巻き取り部３は、位置規制手段５と類似した構成となっており、一対の直線部３１、３３と、一対の曲線部３５、３７でもって長円の形状に形成されているとともに、拡大スリット３９とスリット４１により分割されている。拡大スリット３９とスリット４１の大きさは、位置規制手段５の拡大スリット２１とスリット１９と略同じ大きさである。
巻き取り部３のスリット４１は、その出口部分Ｃにおいて、曲線形状となっており、巻き取り部３の曲線部３５、３７に連続している。そのため、接続部分の端部から延びる余長部分は、設定した曲げ半径でもって、曲線部３５、３７に巻き付けることができる。
巻き取り部３の他方の端部（下面側）には、位置規制手段７があり、一対の直線部４３、４５と、一対の曲線部４７、４９とにより長円形の形状となっている。また、位置規制手段７の外周の大きさは、巻き取り部３の外周よりも大きく、かつ、位置規制手段５の外周の大きさと略同じ大きさとなっている。そのため、２つの位置規制手段５、７と巻き取り部３の外周部分とにより余長部分１１を巻き取って収納することができる収納空間１３が形成されている。
【００２５】
更に、２つの拡大スリット２１、３９により、受容部１７が形成され、光ファイバ９の接続部分１５を受容することができる。接続部分１５から延びている余長部分１１は、巻き取り部３の外周面と連通しているスリット１９を介して、巻き取り部３の外周面に巻きつけられることができる構成となっている。
これらの位置規制手段５、７と巻き取り部３とを備えた光ファイバの接続余長収納具１は、例えば、樹脂材料により一体成形されている。また、これらの位置規制手段５、７と巻き取り部３とは、互いに接着手段で固定されていてもよく、また、係合手段（凹凸手段）により固定されていてもよい。
更に、光ファイバ９の余長部分１１を巻き取る際に、余長部分１１との接触を緩衝させることができるように、また、余長部分１１との引っかかりを防止することができるように、光ファイバの接続余長収納具１の角部や縁部は、曲面形状に形成している。
【００２６】
この光ファイバの接続余長収納具を用いて、接続部分を含む光ファイバの余長部分を収納していく方法を説明する。
最初に、図３（Ａ）に示すように、光ファイバの接続余長収納具１の受容部１７に、光ファイバ９の接続部分１５を受容するとともに、接続部分の１５両端から延びる余長部分の一部をスリッ１９、４１に挿入しておく。
【００２７】
その後、接続余長収納具１を矢印Ａで示す方向に回転させることで、巻き取り部３の曲線部３５、３７の外周面に余長部分１１の巻き付けが始まる。図３（Ｂ）に示すように、接続余長収納具１を矢印Ｂで示す方向に回転させていくことで、余長部分１１は、巻き取り部３の外周面に巻き付けられていくこととなる。この回転を繰り返していき、図３（Ｃ）で示すように、巻き取り部３の外周面上に形成された収納空間１３に、光ファイバ９の余長部分１１を全て収納したところで余長部分１１の収納が終了する。
光ファイバの接続収納具１に形成された受容部１７およびスリット１９、４１は、直線部３１、３３を斜めに横断するように形成されている。そのため、余長部分１１が、スリット１９、４１から曲線部３５、３７に巻き付けられるときには、余長部分１１には設定した曲げ半径でもって巻き付けられ、よって、光ファイバ９の余長部分１１の曲げ損失を低減できたり、破損を防止することができる。
【００２８】
また、本発明に係る光ファイバの接続余長収納具は、簡易な構成によっても達成できる。
図４（Ａ）に示すように、巻き取り部３は、スリット３９Ａにより２つの巻き取り部３Ａ、３Ｂに分割されており、この２つの巻き取り部３９Ａ、３９Ｂの両端側（上下側）には、この図には示されていないが、位置規制手段が設けてある。
巻き取り部３Ａ、３Ｂの形状は、例えば、略半円形状のものを用い、２つの巻き取り部３Ａ、３Ｂの内接線Ｌ方向に光ファイバの接続部分１５を収容することができるように、スリット３９Ａの幅の設定される。また、２つの巻き取り部３Ａ、３Ｂの端部Ｐ、Ｐは、曲面に形成されており、接続部分１５の両端から延びている余長部分１１が、大きな角度でもって半円方向に巻き取ることができるようしてある。そして、余長部分１１は、２つの巻き取り部３Ａ、３Ｂの半円形状に沿って巻き取られていき、巻き取られた余長部分１１は、長円形状を形成している。
【００２９】
図４（Ｂ）には、スリット３９Ｂにより分割された２つの巻き取り部３Ｃ、３Ｄが略円形状である場合を示している。２つの巻き取り部３Ｃ、３Ｄの内接線Ｌ方向に接続部分１５を収容し、接続部分１５の両端から延びる余長部分１１は、２つの巻き取り部３Ｃ、３Ｄ間に巻き取られることなく、２つの巻き取り部３Ｃ、３Ｄの回りを回るように長円形状を形成して巻き取られていく。
【００３０】
図５（Ａ）には、図１〜図３に示す光ファイバの余長部分が収納完了した状態を示している。接続部分の受容部１７に、光ファイバ９の接続部分１５が受容されているとともに、余長部分１１を収納する収納空間１３に余長部分１１が全て収納されている。
さらに、接続部分１５の両端部から延びる余長部分の長さが異なる場合でも、一方の余長部分のみ（長い余長部分のみ）を巻き取り部３に巻き付けることができ、よって、接続部分１５から延びる余長部分１１の長さの差を吸収して収納することができる。
【００３１】
この収納空間１３に収納された余長部分１１が、収納空間１３から外れてしまう（飛び出してしまう）のを防止するために、図５（Ｂ）に示すような、規制部４４を用いてもよい。規制部４４は、ベース４５と、このベース５４の外周端部に立設した４つの壁部４６、４７、４８、４９から構成されている。この規制部４４の壁部４６、４７、４８、４９を接続余長収納具１の位置規制手段５、７の外周に当接させることで、収納空間３１に収納した余長部分の飛び出しが防止できる。
【００３２】
また、本発明に係る光ファイバの接続余長収納具では、接続余長収納具に、予め規制部を取り付けておいて、余長部分を巻き取っていく方法も採用できる。
図６（Ａ）に示すように、接続余長収納具１に予め規制部４４‘を取り付けておく。規制部材４４’は、図５（Ｂ）に示す規制部４４と類似しており、ベース４５‘の外周端部から立設した壁部４７’、４９‘と、この図では見えないが、この壁部４７’、４９‘と対向する位置に、壁部４６’、４８‘が設けられている。この壁部４６’〜４９‘の高さは、収納空間１３を全て覆うか、それ以下に設定される。更に、この壁部４６’〜４９‘は、収納空間１３内に向けて弾性変形して傾くことが可能な弾性材料により作られている。
【００３３】
この接続余長収納具１に規制部４４‘を取り付けた状態で、光ファイバ９の余長部分１１を巻き取っていく方法を説明する。
最初に、接続余長収納具１の受容部１７に光ファイバ９の接続部分１１を収納しておく。その後、接続余長収納具１を回転させていき、余長部分１１を収納空間１３に巻き取りながら収納していく。収納すべき余長部分１１が規制部４４‘の壁部４７’にさしかかると、図６（Ｂ）に示すように、壁部４７‘が余長部分１１により押され、収納空間３１の方向に傾く。
【００３４】
そのため、壁部４７’の上端部４７‘’と位置規制手段５の外周縁との間の隙間Ｓが生じ、或いは隙間Ｓが大きくなるために、余長部分１１が、矢印Ｃで示す方向に移動して、収納空間１３内に入り込むことができる。余長部分１１は、壁部４６‘〜４９’を倒していきながら（傾けさせながら）、収納空間１３に収納されて巻き取りが終了する。収納された余長部分１１は壁部４６‘〜４９’により収納空間３１外に、はみ出すことができない構成となっている。
【００３５】
本発明に係る光ファイバの接続余長収納具は、移動部を設け、この移動を移動させて、余長部分を収納していく方法も採用できる。
図７（Ａ）に示すように、光ファイバ収納具１の位置規制手段５、７のそれぞれには、外周に沿って、溝８０が形成されており、この溝８０に沿って、複数の移動部７０が移動可能に構成されている。移動部７０は、図７（Ｂ）に示すように、溝８０内に挿入して規制される突出部７１と、余長部分１１を保持し、かつ、収納空間１３に収納させていくことができるように、窪み部７２が備えられている。この窪み部は、光ファイバ９との擦れを低減する形状となっており、例えば、曲面加工が施されている。それぞれの移動部７０は、互いに間隔が一定に保持できるようにバンド７５が取り付けられている。バンド７５は、樹脂製あるいは金属製であり、曲線部を移動している際に、変形可能となっている。
【００３６】
光ファイバの接続部分を含む余長部分を収納していくには、受容部１７に接続部分１５を挿入して、接続部分１５から延びる余長部分１１をスリット１９、４１入れて、余長部分１１を外方向に出しておく。位置規制手段５、７と巻き取り部３とを固定して、移動部７０を移動させていくと、スリット１９、４１から延びている余長部分が、移動部７０の窪み部７２に引っかかる。更に、移動部７０を移動させていき、引っ掛かった余長部分１１を収納空間１３に、少しずつ入れていくことで、余長部分１１が収納できる。
【００３７】
また、上記にて説明した接続余長収納具と、これとは別の余長収納具とを組み合わせて用いることで、接続余長部分を含む光ファイバの余長部分を収容する方法を採用することもできる。特に、接続部分の両端部から延びる余長部分の長さが異なる場合に、余長部分の長い方のファイバ余長を収容するのに効果的である。
図８に示すように、余長収納具５０は、ベースプレート部５０‘と、このベースプレート部５０’上に固定配置された２つの巻き取り軸５１、５２と、この２つの巻き取り軸５１、５２と固定して設けられた押さえ板部５３、５４とにより構成されている。押さえ板部５３、５４は、スリットにより５５により分割されており、このスリット５５が、光ファイバ９の余長部分１１を挿入するところである。
【００３８】
余長部分１１を巻き取って収納していくには、スリット５５から余長部分１１を挿入させた後、余長収納具５０を回転させていき、２つの巻き取り軸５１、５２に余長部分を巻き付けていくことで、余長収納具５０に光ファイバ９の余長部分１１を収納することができる。
【００３９】
この余長収納具５０と、接続余長収納具１とを組み合わせて、光ファイバ９の余長部分１１を収納する方法について説明する。
図９（Ａ）に示すように、光ファイバ９の接続部分１１を接続余長収納具１の受容部１７に挿入した後、接続余長収納具１を回転させて、余長部分１１を収納空間１３に収納していく。
【００４０】
接続余長収納具１の収納空間１３に余長部分１１を所望量巻き取ったところで、接続余長収納具１による余長部分１１の収納作業を終了する。
次に、余長収納具５０を配置して、余長部分１１を余長収納具５０のスリット５５（図８参照）から挿入した後、余長収納具５０を回転させて、２つの巻き取り軸５１、５２に余長部分１１を巻き取っていく。余長部分１１をすべて巻き取ったところで、図９（Ｂ）に示すように、収納作業が終了する。このように、接続余長収納具５０を用いて、光ファイバ９の接続部分１５を含む余長部分１１を巻き取ることができ、続いて、余長収納具５０を用いて、残りの余長部分１１を収納することができる。
【００４１】
接続余長収納具１と余長収納具５０とを用いて、光ファイバ９の接続部分１５を含む余長部分１１を巻き取ったならば、これらの２つの収納具を固定しておいてもよい。
図１０は、接続余長収納具１と余長収納具５０とを保持固定部５６により固定保持された状態を示している。保持固定部５６は、ベースプレート部５７と、このベースプレート部５７から立設した複数の規制壁５８により構成されている。規制壁５８、５８間の距離Ｗは、接続余長収納具１の幅Ｗ１よおび余長収納具５０の幅Ｗ２と挿入可能な程度に、略同等にしている。
【００４２】
そのため、光ファイバ９の接続部分１５を含む余長部分１１を収納した接続余長収納具１と余長収納具５０とは、規制壁５８、５８間に挟み込んで容易に固定保持することができる。複数本の光ファイバの余長部分を収納する場合、それぞれの余長部分に対応して接続余長収納具と余長収納具とを用いて巻き取った後、これらの収納具が、それぞれ保持固定できるため、余長部分どうしが、互いに絡み合うことがない。
【００４３】
このような保持固定部材は、複数本の光ファイバを収納する接続収納箱（キャビネット、あるいは、クロージャーともいうこともある）に用いることもできる。
図１１に示すように、接続収納箱６０には、外部から多心の光ファイバケーブル６１が導入されてくる。多心の光ファイバケーブル６１は、接続収納箱６０内で、それぞれ、例えば、融着手段を用いて接続され、単心の光ファイバケーブル６２に分岐されて接続収納箱６０から出ていく。この多心の光ファイバケーブル６１から単心の光ファイバケーブル６２に分岐する際の、接続部分１５を含む余長部分１１は、それぞれ、一組の接続余長収納具１と余長収納具５０により収納して、保持規制部材５６により保持されている。
【００４４】
接続収納箱６０内で、保持固定部材５６を用いれば、複数本の光ファイバの余長部分を整理でき、よって、光通信機器等の工事作業においても、目的とする光ファイバの余長部分の取り出しに際し、間違えることなく、作業することができる。
【００４５】
【発明の効果】
以上詳細に説明したように、本発明に係る光ファイバ収納具および光ファイバ収納方法によれば、光ファイバの接続部分を含む余長部分を構造容易の直径の小さい光ファイバ収納具により収納することができる。
【図面の簡単な説明】
【図１】図１（Ａ）は、本発明に係る光ファイバの接続余長収納具の斜視図であり、図１（Ｂ）は、接続部分を含む光ファイバの斜視図である。
【図２】図２は、本発明に係る光ファイバの接続余長収納具を、図１（Ａ）の矢印Ａ方向でカットしたときの斜視図である。
【図３】図３は、本発明に係る光ファイバの接続余長収納方法を示す模式図であり、（Ａ）は余長部分の巻き取り開始前であり、（Ｂ）は巻き取りを開始したところであり、（Ｃ）は巻き取りを終了したところである。
【図４】図４は、本発明に係る光ファイバ収納具を示しており、（Ａ）は巻き取り部が略半円形状のものであり、（Ｂ）は巻き取り部が略円形形状のものである。
【図５】図５は、本発明に係る光ファイバの接続余長収納具および規制部材を示す斜視図であり、（Ａ）は余長部分を巻き取った状態であり、（Ｂ）は規制部材である。
【図６】図６は、本発明に係る光ファイバの接続余長収納具及び規制部材の斜視図であり、（Ａ）は接続余長収納具に規制部材を取り付けて巻き付けていく状態であり、（Ｂ）は（Ａ）の一部分を拡大したところである。
【図７】図７は、本発明に係る光ファイバの接続余長収納具の斜視図であり、（Ａ）は移動部を備えた構成であり、（Ｂ）は要部を拡大したものである。
【図８】図８は、本発明に係る別な余長収納具の斜視図である。
【図９】図９は、本発明に係る接続余長収納具と別な余長収納具とによる余長部分の巻き取りを説明する説明図であり、（Ａ）は接続余長収納具により巻き取った状態であり、（Ｂ）は余長収納具により巻き取った状態である。
【図１０】図１０は、本発明に係る接続余長収納具と余長収納具とを保持固定材により固定した状態を示す斜視図である。
【図１１】図１１は、本発明に係る接続余長収納具と余長収納具とを接続収納箱に用いた場合を示す斜視図である。
【図１２】図１２は、従来の紐類の巻き込み器の上面図である。
【図１３】図１３は、従来の紐類の巻き込み器の断面図である。
【符号の説明】
１　　接続余長収納具
３　　巻き取り部
５、７　位置規制手段
９　　光ファイバ
１１　余長部分
１５　接続部分
１７　受容部
【図１】
2004045535.tif 000003
【図２】
2004045535.tif 000004
【図３】
2004045535.tif 000005
【図４】
2004045535.tif 000006
【図５】
2004045535.tif 000007
【図６】
2004045535.tif 000008
【図７】
2004045535.tif 000009
【図８】
2004045535.tif 000010
【図９】
2004045535.tif 000011
【図１０】
2004045535.tif 000012
【図１１】
2004045535.tif 000013
【図１２】
2004045535.tif 000014
【図１３】
2004045535.tif 000015